(57)【特許請求の範囲】
【請求項１】
発行金額範囲に応じて定められたデザインを持つ券が複数印刷された複数のロール紙と、この複数のロール紙の筒状巻芯に嵌挿可能で両端に取付用軸部が突設された複数のロール紙保持部材と、この複数のロール紙保持部材の各取付用軸部を着脱自在かつ回転自在に保持する複数有る一対の軸受部とを備えた券発行装置において、
前記複数のロール紙保持部材の各取付軸部の外径と前記軸受部の内径とを当該ロール紙の券のデザインに応じて変更したことを特徴とする券発行装置。
【請求項２】
発行金額範囲に応じて定められたデザインを持つ券が複数印刷された複数のロール紙と、この複数のロール紙の筒状巻芯に嵌挿可能で両端に取付用軸部が突設された複数のロール紙保持部材と、この複数のロール紙保持部材の各取付用軸部を着脱自在かつ回転自在に保持する複数有る一対の軸受部とを備えた券発行装置において、
前記複数のロール紙の筒状巻芯の内径と前記保持部材の太さとを当該ロール紙の券のデザインに応じて変更したことを特徴とする券発行装置。
【請求項３】
発行金額範囲に応じて定められたデザインを持つ券が所定間隔で複数印刷された複数のロール紙と、この複数のロール紙を回転自在に保持可能な複数のロール紙保持手段とを備えた券発行装置において、
前記複数のロール紙上で隣接する券の間隔を発行金額範囲に応じて変えるとともに、該券間隔を検出可能な券間隔検出手段と、検出された券間隔が予め設定された間隔と合致するか否かを判定可能な判定手段とを設けたことを特徴とする券発行装置。
【請求項４】
発行金額範囲に応じて定められたデザインを持つ券が複数印刷された複数のロール紙と、この複数のロール紙を回転自在に保持可能なロール紙保持手段とを備えた券発行装置において、
ロール紙の種類によって異なるロール紙に嵌挿される保持部材またはセットされたロール紙の種類が予め決められた種類か否かを判定可能な判定手段を設けたことを特徴とする券発行装置。
【発明の詳細な説明】
【０００１】
【発明の属する技術分野】
本発明は、印紙・証紙・変額(料額・印字式)切手等の券を発行可能な券発行装置に関する。
【０００２】
【従来の技術】
最近、省力化等を図る観点から、券(例えば、印紙，証紙，変額切手等の有価証券)を自動的に発行する券発行装置が普及しつつある。
【０００３】
図９および図１０に、発行金額範囲(例えば、低額，高額)に応じて異なるデザインを持つ変額切手を発行可能な券発行装置の従来構成を示す。
【０００４】
図において、１は装置本体、２は印字手段としてのラインヘッド、３はカッタ、４はカッタモータ、５は搬送手段、１０ＰＬは低額用のロール紙保持手段、１０ＰＨは高額用のロール紙保持手段である。また、５０Ｌは低額用のロール紙、５０Ｈは高額用のロール紙である。
【０００５】
ここにおいて、ロール紙５０Ｈは、高額用のデザインを持つ変額切手(例えば、図１１(Ａ)に示す山の絵が描かれた変額切手６０Ｈ)が所定間隔で印刷されている。また、ロール紙５０Ｌには、低額用のデザインを持つ変額切手(図１１(Ｂ)に示す魚の絵が描かれた変額切手６０Ｌ)が所定間隔で印刷されている。
【０００６】
ラインヘッド２は、上記ロール紙(５０Ｌ，５０Ｈ)の変額切手(６０Ｌ，６０Ｈ)の金額印刷領域ａに発行指令金額を印字可能に形成されている。
【０００７】
また、低額および高額用のロール紙保持手段(１０ＰＬ，１０ＰＨ)は、同一構成とされており、それぞれロール紙(５０Ｌ，５０Ｈ)の筒状巻芯(５１Ｌ，５１Ｈ)に嵌挿可能で両端に取付用軸部(１２Ｐ，１２Ｐ)が突設されたロール紙保持部材(１１Ｐ，１１Ｐ)と、このロール紙保持部材(１１Ｐ，１１Ｐ)の各取付用軸部(１２Ｐ，１２Ｐ)を着脱自在かつ回転自在に保持する軸受部(１３Ｐ，１３Ｐ)を有する一対の保持フレーム(１４Ｐ，１４Ｐ)とから形成されている。
【０００８】
搬送手段５は、上記ロール紙保持手段(１０ＰＬ，１０ＰＨ)に保持されたロール紙(５０Ｌ，５０Ｈ)を挟持搬送可能な搬送ローラ６およびピンチローラ７と、搬送ローラ６を回転駆動する搬送モータ５とを含み、ロール紙(５０Ｌ，５０Ｈ)をラインヘッド２，カッタ３を通る搬送路に沿って搬送可能に形成されている。
【０００９】
カッタ３は、ラインヘッド２のロール紙搬送方向下流側に配設されており、カッタモータ４によって駆動されて当該ヘッド２で金額が印字されたロール紙(５０Ｌ，５０Ｈ)上の変額切手(６０Ｌ，６０Ｈ)を分離可能に形成されている。
【００１０】
【発明が解決しようとする課題】
ところで、上記券発行装置においては、作業者の錯誤等によって低額用のロール紙５０Ｌを高額用のロール紙保持手段１０ＰＨに誤って装着してしまったり、逆に高額用のロール紙５０Ｈを低額用のロール紙保持手段１０ＰＬに装着してしまうことが生じる。
【００１１】
かかる事態が生じると、券のデザインと発行金額とが合わなくなり、発行金額範囲に相応してデザインを変えた券を発行するという大原則を遵守できなくなってしまうことになる。
【００１２】
本発明の目的は、デザインと金額とが合っていない券が発行されるのを防止することができる券発行装置を提供することにある。
【００１３】
【課題を解決しようとする手段】
請求項１の発明は、発行金額範囲に応じて定められたデザインを持つ券が複数印刷された複数のロール紙と、この複数のロール紙の筒状巻芯に嵌挿可能で両端に取付用軸部が突設された複数のロール紙保持部材と、この複数のロール紙保持部材の各取付用軸部を着脱自在かつ回転自在に保持する複数有る一対の軸受部とを備えた券発行装置において、前記複数のロール紙保持部材の各取付軸部の外径と前記軸受部の内径とを当該ロール紙の券のデザインに応じて変更したことを特徴とする。
【００１４】
かかる発明では、ロール紙保持部材を本来とは異なる場所の軸受部に保持させようとしても、保持不能(または、嵌合ガタが過大)となるので、作業者はセットミスに気がつく。したがって、金額とデザインとが合っていない券が発行されるのを防止することができる。
【００１５】
請求項２の発明は、発行金額範囲に応じて定められたデザインを持つ券が複数印刷された複数のロール紙と、この複数のロール紙の筒状巻芯に嵌挿可能で両端に取付用軸部が突設された複数のロール紙保持部材と、この複数のロール紙保持部材の各取付用軸部を着脱自在かつ回転自在に保持する複数有る一対の軸受部とを備えた券発行装置において、前記複数のロール紙の筒状巻芯の内径と前記保持部材の太さとを当該ロール紙の券のデザインに応じて変更した券発行装置である。
【００１６】
かかる発明の場合、ロール紙保持部材を本来とは異なるロール紙の筒状巻芯に嵌挿させようとしても、嵌挿不能(または、はめあいガタが過大)となるので、作業者はセットミスに気がつく。したがって、金額とデザインとが合っていない券が発行されるのを防止することができる。
【００１７】
請求項３の発明は、発行金額範囲に応じて定められたデザインを持つ券が所定間隔で複数印刷された複数のロール紙と、この複数のロール紙を回転自在に保持可能な複数のロール紙保持手段とを備えた券発行装置において、前記複数のロール紙上で隣接する券の間隔を発行金額範囲に応じて変えるとともに、該券間隔を検出可能な券間隔検出手段と、検出された券間隔が予め設定された間隔と合致するか否かを判定可能な判定手段とを設けた券発行装置である。
【００１８】
かかる発明の場合、ロール紙上で隣接する券の間隔が検出され、検出された券間隔が予め設定された間隔(例えば、低額用に設定された券間隔)と一致するか否かを判定されるので、例えば設定間隔として低額用の券間隔を選定しておけば、高額用のロール紙が誤って低額用のロール紙保持手段にセットされた場合には、セットミスであることが判定される。したがって、金額とデザインとが合っていない券が発行されるのを防止することができる。
【００１９】
請求項４の発明は、発行金額範囲に応じて定められたデザインを持つ券が複数印刷された複数のロール紙と、この複数のロール紙を回転自在に保持可能なロール紙保持手段とを備えた券発行装置において、ロール紙の種類によって異なるロール紙に嵌挿される保持部材またはセットされたロール紙の種類が予め決められた種類か否かを判定可能な判定手段を設けた券発行装置である。
【００２０】
かかる発明では、間違ったロール紙をセットしても、保持不能,嵌合ガタ過大であるため、作業者はセットミスに気が付く。また、判定手段を有する場合にはセットミスであることが判断される。したがって、デザインが合っていない券が発行されるのを防止することができる。
【００２１】
【発明の実施の形態】
本発明の実施の形態を、図面を参照して説明する。
【００２２】
(第１の実施の形態)
本券発行装置は、図１〜図４に示す如く、複数のロール紙保持部材(１１Ｌ，１１Ｈ)と軸受部(１３Ｌ，１３Ｌ)とからなるロール紙保持手段(１０Ｌ，１０Ｈ)を備え、ロール紙保持部材(１１Ｌ，１１Ｈ)の各取付軸部(１２Ｌ，１２Ｈ)の外径(ＤＬ２，ＤＨ２)と軸受部(１３Ｌ，１３Ｈ)の半径(ＤＬ３，ＤＨ３)とを当該ロール紙(５０Ｌ，５０Ｈ)の券のデザインに応じて変更して、ロール紙(５０Ｌ，５０Ｈ)のセットミスを未然に防止する構成とされている。
【００２３】
また、この実施形態では、ロール紙(５０Ｌ，５０Ｈ)のセットミスを一段と確実に防止するために、ロール紙(５０Ｌ，５０Ｈ)の筒状巻芯(５１Ｌ，５１Ｈ)の内径(ＤＬ０，ＤＨ０)とロール紙保持部材(１１Ｌ，１１Ｈ)の太さ(外径ＤＬ１，ＤＨ１)とを当該ロール紙(５０Ｌ，５０Ｈ)の券のデザインに応じて変更した構成としている。ここで、高額用の内径ＤＨ３および外径ＤＨ２は、それぞれ対応する低額用の内径ＤＬ３および外径ＤＬ２の例えば半分の大きさとなっている。
【００２４】
具体的には、本券発行装置は、変額切手発行装置であり、発行金額が低額の場合には魚が描かれた変額切手６０Ｌ(図１１(Ｂ(参照)を、高額の場合には山が描かれた変額切手６０Ｈ(図１１(Ａ)参照)を発行するものとされている。例えば、低額用は２７０円未満の金額の変額切手を発行する場合に用い、高額用は２７０円以上の金額の変額切手を発行する場合に用いている。
【００２５】
低額用のロール紙保持部材１１Ｌの取付軸部１２Ｌの外径ＤＬ２と軸受部１２Ｌの内径ＤＬ３とは、当該軸受部１２Ｌで取付軸部１２Ｌを回転ガタなく保持できるように選定されている。同様に、高額用のロール紙保持部材１１Ｈの取付軸部１２Ｈの外径ＤＨ２と軸受部１２Ｈの内径ＤＨ３とは、当該軸受部１２Ｈで取付軸部１２Ｈを回転ガタなく保持できるように選定されている。
【００２６】
そして、低額用のロール紙保持部材１１Ｌの取付軸部１２Ｌの外径ＤＬ２および軸受部１２Ｌの内径ＤＬ３は、高額用のロール紙保持部材１１Ｈの取付軸部１２Ｈの外径ＤＨ２および軸受部１２Ｈの内径ＤＨ３よりも大きくなるように選定されている。
【００２７】
また、低額用のロール紙５０Ｌの筒状巻芯５１Ｌの内径ＤＬ０とロール紙保持部材１１Ｌの太さ(外径ＤＬ１)とは、当該ロール紙保持部材１１Ｌが筒状巻芯５１Ｌにガタなく嵌挿できるように選定されている。同様に、高額用のロール紙５０Ｈの筒状巻芯５１Ｈの内径ＤＨ０とロール紙保持部材１１Ｈの太さ(外径ＤＨ１)とは、当該ロール紙保持部材１１ＤＨが筒状巻芯５１Ｈにガタなく嵌挿できるように選定されている。
【００２８】
そして、低額用のロール紙５０Ｌの筒状巻芯５１Ｌの内径ＤＬ０およびロール紙保持部材１１Ｌの太さ(外径ＤＬ１)は、高額用のロール紙５０Ｈの筒状巻芯５１Ｈの内径ＤＨ０およびロール紙保持部材１１Ｈの太さ(外径ＤＨ１)よりも大きくなるように選定されている。
【００２９】
したがって、低額用のロール紙保持部材１１Ｌを高額用の軸受部１３Ｈに保持させようとしても、保持不能となるので、作業者はセットミスに気がつく。また、高額用のロール紙保持部材１１Ｈを低額用の軸受部１３Ｌに保持させた場合、はめあいガタが過大となるので、作業者はセットミスに気がつく。その結果、金額とデザインとがあっていない券が発行されるのを未然に防止することができる。
【００３０】
さらに、本実施形態では、ロール紙(５０Ｌ，５０Ｈ)の筒状巻芯(５１Ｌ，５１Ｈ)の内径(ＤＬ０，ＤＨ０)とロール紙保持部材(１１Ｌ，１１Ｈ)の太さ(ＤＬ１，ＤＨ１)とを、発行金額範囲に応じて変更[したがって、ロール紙(５０Ｌ，５０Ｈ)の券(６０Ｌ，６０Ｈ)のデザインを変更]したので、当該ロール紙(５０Ｌ，５０Ｈ)にロール紙保持部材(１１Ｌ，１１Ｈ)を嵌挿する段階で嵌挿不能(または、はめあいガタ過大)となり、作業者はセットミスに気が付く。その結果、デザインと金額とが合っていない変額切手が発行されてしまうのを一段と確実に防止できる。
【００３１】
(第２の実施の形態)
第２の実施の形態は、図５〜図８に示される。
かかる第２の実施の形態に係る券発行装置は、ロール紙(５０Ｌ，５０Ｈ)上で隣接する券の間隔を発行金額範囲に応じて変えるとともに、券間隔検出手段(３０Ｌ，３０Ｈ)と，判定手段(２１，２２，２３)とを設け、券間隔の相違を検出・判定してデザインと金額とが合っていない券(変額切手)の発行を防止可能に構成されている。
【００３２】
低額用のロール紙５０Ｌ上で隣接する変額切手６０Ｌの間隔Ｌ２は、高額用のロール紙５０Ｈ上で隣接する変額切手６０Ｈの間隔Ｌ１よりも短く選定されている。
【００３３】
券間隔検出手段は、ロール紙(５０Ｌ，５０Ｈ)上で隣接する券間隔を検出する手段で、低額用および高額用ロール紙(５０Ｌ，５０Ｈ)上で隣接する券間隔を検出可能な用紙検出センサ３０Ｌ(３０Ｈ)から形成されている。
【００３４】
また、判定手段は、券間隔検出手段[３０Ｌ(３０Ｈ)]で検出された券間隔が予め設定された間隔と合致するか否かを判定可能な手段で、図５に示す制御ユニット２０のＣＰＵ２１とＲＯＭ２２とＲＡＭ２３とから形成されている。上記設定間隔は、低額用では間隔Ｌ２，高額用では間隔Ｌ１がＲＯＭ２２内に記憶されている。
【００３５】
制御ユニット２０は、上記したＣＰＵ２１，ＲＯＭ２２，ＲＡＭ２３の他にインターフェース(Ｉ/Ｆ)２４と入出力ポート(Ｉ/Ｏ)２５等とから形成されている。インターフェース(Ｉ/Ｆ)２４には、表示装置２８付きの上位機(ＰＣ２７)が接続されている。また、入出力ポート(Ｉ/Ｏ)２５には、ラインヘッド２(ヘッド駆動回路２Ｄ)，用紙検出センサ３０Ｌ，３０Ｈ(センサ回路３０Ｄ)，カッタモータ４(カッタモータ駆動回路４Ｄ)，搬送モータ８(搬送モータ駆動回路８Ｄ)等が接続されている。
【００３６】
次に、この第２の実施の形態の作用を図８に示すフローチャートに基き説明する。
低額用のロール紙５０Ｌが誤って高額用のロール紙保持手段(１０Ｈ(にセットされた状態でイニシャル搬送がなされると(ＳＴ１０)、用紙検出センサ３０Ｈがロール紙５０Ｌ上の変額切手(６０Ｌ、６０Ｌ)の券間隔(Ｌ２)を計測する(ＳＴ１１)。判定手段(２１，２２，２３)は、計測した間隔(Ｌ２)が予め決められた設定間隔(Ｌ１)と一致しているか否かを判定する(ＳＴ１２)。
【００３７】
この場合には、一致しないと判定する。かかる判定結果は、表示装置２８等で告知(エラー表示)され動作停止される(ＳＴ１４，１５)。したがって、セットされたロール紙の種類が予め決められた種類か否かを判定可能な判定手段を持っているので、金額とデザインとが合っていない変額切手が発行されるのを防止することができる。
【００３８】
なお、一致する場合(ＳＴ１２のＹＥＳ)には、通常の動作を行なう(ＳＴ１３)。高額用のロール紙５０Ｈが誤って低額用のロール紙保持手段(１０Ｌ)にセットされた場合の制御は図８の制御と同様のため説明を省略する。
【００３９】
【発明の効果】
請求項１の発明によれば、複数のロール紙保持部材の各取付軸部の外径と軸受部の半径とを当該ロール紙の券のデザインに応じて変更したので、例えば高額用のロール紙保持部材を低額用の軸受部に保持させようとしても、保持不能(または、嵌合ガタが過大)となるので、作業者はセットミスに気がつく。したがって、金額とデザインとがあっていない券が発行されるのを防止することができる。
【００４０】
請求項２の発明は、複数のロール紙の筒状巻芯の内径とロール紙保持部材の太さとを当該ロール紙の券のデザインに応じて変更したので、例えば高額用のロール紙保持部材を低額用のロール紙の筒状巻芯に嵌挿させようとしても、嵌挿不能(または、はめあいガタが過大)となるので、作業者はセットミスに気がつく。したがって、金額とデザインとがあっていない券が発行されるのを防止することができる。
【００４１】
請求項３の発明は、複数のロール紙上で隣接する券の間隔を発行金額範囲に応じて変えるとともに、該券間隔を検出可能な券間隔検出手段と、検出された券間隔が予め設定された間隔と合致するか否かを判定可能な判定手段とを設けたので、例えば設定間隔として低額用の券間隔を選定しておけば、高額用のロール紙が誤って低額用のロール紙保持手段にセットされた場合には、セットミスであると判定される。したがって、金額とデザインとがあっていない券が発行されるのを防止することができる。
【００４２】
請求項４の発明によれば、ロール紙の種類によって異なるロール紙に嵌挿される保持部材またはセットされたロール紙の種類が予め決められた種類か否かを判定可能な判定手段を設けたので、間違ったロール紙をセットしても、保持不能,嵌合ガタ過大であるため、作業者はセットミスに気が付く。また、判定手段を有する場合にはセットミスであることが判断される。したがって、デザインが合っていない券が発行されるのを防止することができる。
【図面の簡単な説明】
【図１】本発明の第１の実施の形態を説明するための平面図である。
【図２】同じく、全体構成を説明するための側面図である。
【図３】同じく、高額用のロール紙とロール紙保持部材と軸受部との寸法関係動作を説明するための図である。
【図４】同じく、高額用のロール紙とロール紙保持部材と軸受部との寸法関係動作を説明するための図である。
【図５】同じく、本発明の第２の実施の形態を説明するための電気的ブロック図である。
【図６】同じく、ロール紙上の券間隔を説明するための図である。
【図７】同じく、用紙検出センサの配設位置を説明するための図である。
【図８】同じく、動作を説明するためのフローチャートである。
【図９】券発行装置の従来構成を説明するための平面図である。
【図１０】同じく、全体構成を説明するための側面図である。
【図１１】同じく、変額切手を説明するための図である。
【符号の説明】
１    装置本体
２    ラインヘッド(印字手段)
３    カッタ
４    カッタモータ
５    搬送手段
６    搬送ローラ
７    ピンチローラ
８    搬送モータ
１０Ｈ，１０Ｌ  ロール紙保持手段
１１Ｈ，１１Ｌ  ロール紙保持部材
１２Ｈ，１２Ｌ  取付用軸部
１３Ｈ，１３Ｌ  軸受部
１４Ｈ，１４Ｌ  保持フレーム
２０  制御ユニット
２１  ＣＰＵ(判定手段)
２２  ＲＯＭ(判定手段)
２３  ＲＡＭ(判定手段)
２４   インターフェース
２５  入出力ポート
２７  上位機
２８  表示装置
３０  用紙検出センサ(券間隔検出手段)
５０Ｈ，５０Ｌ  ロール紙
５１Ｈ，５１Ｌ  筒状巻芯
６０Ｈ，６０Ｌ  変額切手(券)
【図１】
0003733995.tif 000002
【図２】
0003733995.tif 000003
【図３】
0003733995.tif 000004
【図４】
0003733995.tif 000005
【図５】
0003733995.tif 000006
【図６】
0003733995.tif 000007
【図７】
0003733995.tif 000008
【図８】
0003733995.tif 000009
【図９】
0003733995.tif 000010
【図１０】
0003733995.tif 000011
【図１１】
0003733995.tif 000012